(57)【要約】【課題】  壁面のコーナに接触した際の歩行者の保護を図るとともに、衝撃からコーナを保護することができるコーナガードを提供する。【解決手段】  コーナＣを挟む壁面Ｗに固定される一対の固定部１０と、固定部１０の間に直角に曲げた形状で延長され、衝撃を受けたときに変形される変形部２０とを備える。変形部２０は一次変形部２１と、一次変形部２１の内側に設けられる二次変形部２２とを備える。コーナガード１に歩行者等が接触したときには、一次変形部２１のみが変形して一次の衝撃吸収を行い、コーナガード１からの反力を小さくして歩行者を保護する。コーナガード１に移動機器等が接触したときには、二次変形部２２も変形して二次の衝撃吸収を行うことにより、大きな衝撃力を吸収し、コーナを確実に保護する。【選択図】  図４
2006161367.tif 000002
【特許請求の範囲】
【請求項１】
壁面のコーナを覆うように装着される弾性材からなるコーナガードであって、前記コーナを挟む位置においてそれぞれ前記壁面に固定される一対の固定部と、前記固定部の間に前記壁面に沿って屈曲された形状で延長され、衝撃を受けたときに変形される変形部とを備え、前記変形部は第１の空隙寸法をもって前記壁面に対峙される一次変形部と、前記一次変形部の内側に設けられ、前記第１の空隙寸法よりも短い第２の空隙寸法をもって前記壁面に対峙される二次変形部とを備えることを特徴とするコーナガード。
【請求項２】
前記二次変形部は前記コーナを挟む２つの壁面に沿ってそれぞれ延長された屈曲片を有することを特徴とする請求項１に記載のコーナガード。
【発明の詳細な説明】
【技術分野】
【０００１】
本発明は壁面のコーナ（角部）に配設して当該コーナを外力から保護する一方で、コーナに接触した際に歩行者等を保護することが可能なコーナガードに関する。
【背景技術】
【０００２】
壁面や壁面のコーナを保護するためにコーナガードが提供されている。この種のコーナガードは、樹脂やゴム等の弾性材で製造され、コーナを覆うように壁面に装着される構成となっている。例えば、特許文献１のコーナガードは、壁面のコーナに沿って基板を装着し、この基板と適宜間隔を有して当該基板を覆うように弾性材からなるカバーを装着し、これら基板とカバーとの間に柔軟材からなるクッション材を装着したものである。このコーナガードによれば、コーナに歩行者や移動機器等が接触したときには、カバー及びクッション材の弾性力によって衝撃を吸収し、コーナが破損されることを防止する一方で、歩行者や移動機器に対する衝撃を緩和して保護することが可能である。また、この衝撃を緩和する効果を高めるため、特許文献１の技術では、クッション材を多数の突条として形成する技術も提案されている。
【特許文献１】特開平４−４７０３号公報
【発明の開示】
【発明が解決しようとする課題】
【０００３】
特許文献１で提案されているコーナガードは、基板、カバー、クッション材が別部品として構成され、これらの部品を壁面に対して装着しているために部品点数が多いとともに装着に際しての工数が多く、低コスト化の面で不利である。また、カバーが硬質樹脂で形成されているためにコーナガードに歩行者が接触した際にはカバーが弾性変形され難く、その弾性変形量では壁面のコーナを保護する上では有効であるが、歩行者に対する衝撃を緩和する効果が少なく、歩行者を保護するのに十分ではない。特に、特許文献１の技術では、カバーと基板との間にクッション材を介挿してカバーが衝撃を受けたときには所要の撓み反力を得るように構成しているため、歩行者はこの反力を受けることになり、歩行者を保護する上では好ましいものとはなっていない。そのため、病院や老人施設等の弱者が利用する建屋のコーナガードとして利用する場合には問題が生じることになる。
【０００４】
本発明の目的は、歩行者の保護を重視するとともに、壁面のコーナを保護することも可能なコーナガードを提供することである。
【課題を解決するための手段】
【０００５】
本発明は、壁面のコーナを覆うように装着される弾性材からなるコーナガードであって、コーナを挟む位置においてそれぞれ壁面に固定される一対の固定部と、これら固定部の間に壁面に沿って屈曲された形状で延長され、衝撃を受けたときに変形される変形部とを備えており、当該変形部は第１の空隙寸法をもって壁面に対峙される一次変形部と、一次変形部の内側に設けられ第１の空隙寸法よりも短い第２の空隙寸法をもって壁面に対峙される二次変形部とを備えることを特徴とする。特に、二次変形部はコーナを挟む２つの壁面にそれぞれ沿って延長された屈曲片を有することが好ましい。
【発明の効果】
【０００６】
本発明によれば、コーナガードに歩行者等が接触したときには、一次変形部のみが変形して一次の衝撃吸収を行うことにより、歩行者に対してコーナガードから加えられる反力を小さくして歩行者を保護する。コーナガードに移動機器等が接触したときには、一次変形部の変形に加えて二次変形部が変形して一次及び二次の衝撃吸収を行うことにより、大きな衝撃力を吸収し、コーナを確実に保護する。二次変形部は変形時には屈曲片においてコーナを挟む２つの壁面のいずれかに当接されるので、二次の衝撃吸収力を高めることが可能である。
【実施例１】
【０００７】
次に、本発明の実施例１を図面を参照して説明する。図１は本発明のコーナガード１を壁面ＷのコーナＣに装着した状態の斜視図であり、病院や老人施設等の壁面Ｗに配設された手摺りＢＡＲと共に当該壁面ＷのコーナＣに所要の高さ範囲にわたって装着される。図２は前記コーナガード１の一部を分解して示す外観斜視図、図３は図１のＡ−Ａ線拡大断面図である。この実施例１ではコーナガード１は、例えばＥＰＤＭ（エチレンプロピレンゴム）等のゴム材の押し出し成形により、壁面のコーナ形状に対応して概ね「く」字状の断面をした長尺の帯状に形成されている。前記コーナガード１は、前記壁面Ｗに対してコーナガードを固定するためにコーナガード１の両側に沿って厚肉に形成された一対の固定部１０と、これら固定部１０の間に前記壁面Ｗに沿ってほぼ直角に曲げた形状で延長され、衝撃を受けたときに変形して当該衝撃を吸収するための変形部２０とで構成されている。
【０００８】
前記一対の固定部１０は長さ方向に沿って前面側から凹溝１１が開口されており、この凹溝１１には凹溝１１内を覆い隠すための装飾帯１２が嵌合可能とされている。この装飾帯１２はコーナガード１をコーナに装着したときの意匠的な効果を考慮して固定部１０及び変形部２０と同じ色、あるいは異なる色で形成することが可能である。前記固定部１０は後述するように固定ビス１３と固定補助板１４とにより壁面Ｗに固定される。また、前記装飾帯１２は内面に凹んだ円弧状をしたビス当接部１２ａと、このビス当接部１２ａの両側に沿って長さ方向に延長形成されたくびれ部１２ｂが設けられており、このくびれ部１２ｂが後述するように前記固定補助板１４に嵌合して凹溝１１内に支持される。
【０００９】
前記変形部２０は、一次及び二次の変形部で構成されている。一次変形部２１は、前記固定部１０の間に前記コーナＣを挟む壁面Ｗに沿ってほぼ直角に曲げた形状に形成されて前記壁面Ｗに対して所要の空隙寸法（第１の空隙寸法）ｄ１をもって対峙され、所要の弾性力を有するのに必要な肉厚に形成されている。二次変形部２２は、前記一次変形部２１の角部の内面から内方に向けて一体に突出形成され、先端部２２ａがほぼ直角に広げられた「Ｙ」字型の屈曲片として形成されている。この二次変形部２２の枝別れした屈曲片２２ａは前記一次変形部２１の第１の空隙寸法ｄ１よりも小さい空隙寸法（第２の空隙寸法）ｄ２をもって前記コーナＣを挟む壁面Ｗに対峙される。なお、実施例１では前記二次変形部２２の肉厚は前記一次変形部２１の肉厚よりも若干薄くされている。また、前記二次変形部２２の屈曲片２２ａの長さはそれぞれ前記一次変形部２１の第１の空隙寸法ｄ１よりも若干長く形成されている。
【００１０】
このように構成されたコーナガード１を壁面ＷのコーナＣに装着する際には、装飾帯１２を嵌合していない状態でコーナＣを覆うようにしてコーナガード１を被せ、両固定部１０の各内面を壁面Ｗに当接させる。そして、両固定部１０の凹溝１１の内底面に対して固定ビス１３をねじ込み、壁面Ｗにまで螺合させることで固定部１０をビス止めする。このとき、実施例１では、固定補助材として金属や硬質樹脂等からなる断面がほぼＨ型をした帯状の固定補助板１４を凹溝１１内に挿入し、この固定補助板１４に開口したビス挿通穴１４ｂを通して固定ビス１３の螺合を行っている。この固定補助板１４を利用することで、コーナガード１に外力が加えられた場合でも、固定ビス１３と固定部１０の凹溝１１内底面との間に生じる応力を分散し、固定ビス１３の螺合箇所でコーナガード１が破損することが防止される。そして、コーナガード１をコーナＣに装着した後に、凹溝１１に装飾帯１２を嵌合すると、装飾帯１２のくびれ部１２ｂが固定補助板１４の対をなす内縁部１４ａに嵌合して装飾帯１２自身が固定支持板１４、すなわち凹溝１１内に支持されるとともに、凹溝１１内の固定ビス１３や固定補助板１４が外部に露見されることがなくなり、外部に触れて傷付くようなこともなく安全性が得られ、かつ外観上の見栄えが向上する。また、同時に装飾帯１２のビス当接部１２ａが固定ビス１３の頭部に当接され、装飾帯１２によって固定ビス１３の頭部を保持してその脱落が防止される。
【００１１】
このようにしてコーナＣに装着された実施例１のコーナガード１について、その衝撃吸収作用をみると、歩行者等がコーナガードに接触し、あるいは衝突したときには、図４（ａ）に示すように、衝撃力Ｆ１によって一次変形部２１が内側に弾性変形される。このように衝撃力が小さい場合には、二次変形部２２はコーナＣや壁面Ｗに当接することがなく、一次変形部２１での弾性変形力によって接触時あるいは衝突時の衝撃を吸収し、本明細書で言う一次の衝撃吸収が行われる。この一次の衝撃吸収においては、一次変形部２１での一次の衝撃吸収に際しての弾性変形量が少ないため、コーナガード１から歩行者等に向けて加えられる反力も小さくなり、歩行者等にダメージを与えることが防止される。また、同時に衝撃Ｆ１がコーナＣにまで及ぼされることはなく、コーナＣを破損から保護する。
【００１２】
一方、移動機器のような重量物が衝突した場合のように、衝撃力が大きい場合には、図４（ｂ）に示すように、衝撃力Ｆ２によって一次変形部２１が大きく変形されて一次の衝撃吸収が行われるとともに、一次変形部２１のさらなる変形によって二次変形部２２の屈曲片２２ａがコーナＣに当接し、さらに二次変形部２２が変形されて二次の衝撃吸収が行われるようになる。そのため、加えられた衝撃を一次変形部２１と二次変形部２２の両変形部での変形によって一次及び二次の衝撃吸収が一体的に行われることになり、大きな衝撃力に対してもコーナＣを確実に保護することができる。
【００１３】
また、実施例１では、二次変形部２２の屈曲片２２ａを前述したように第１の空隙寸法ｄ１よりも長い長さで「Ｙ」字状に開いた形状にしているため、図４（ｂ）に示したように、一次変形部２１が壁面に沿って潰れるように変形された場合でも、二次変形部２２の屈曲片２２ａは確実コーナＣに当接して二次変形部２２での変形を生じさせ、二次の衝撃吸収を確実に行うことが可能になる。また、同時に衝撃吸収力を高めることができる。
【００１４】
以上のように、実施例１のコーナガードでは、衝撃を受けたときにその衝撃力に応じて一次、二次の衝撃吸収が行われることにより、図５に実線で示す特性のように、衝撃力が小さいときには一次変形部での変形のみで衝撃を吸収し、衝撃力が大きくなったときには一次変形部と二次変形部の両方での変形によって衝撃を吸収する特性となる。すなわち、歩行者等が衝突したようなときには変形が少なくコーナガードの反力が小さいためコーナガードによって歩行者がダメージを受けることがなく、その一方で移動機器等が衝突したようなときには変形が大きく大きな反力が得られるためコーナの破損が防止される。因みに、図５において破線の特性は特許文献１の推測される特性であり、歩行者が衝突したようなコーナガードに加わる衝撃が小さい場合でもコーナガードから歩行者に加えられる反力は大きな値となり、歩行者に対するダメージが大きいことが判る。
【実施例２】
【００１５】
図６は実施例２のコーナガード１Ａの断面図であり、実施例１のコーナガード１と等価な部分には同一符号を付して重複する説明は省略する。実施例２は一次変形部２１の構成は実施例１と同じであるが、二次変形部２２Ａの形状が相違している。ここでは二次変形部２２Ａは一対の固定部１０の各内面からコーナＣの壁面にそれぞれ沿うように一次変形部２１とほぼ平行に張出し片２２ｂを延長形成し、これら張出し片２２ｂの先端を相互に連結するようにほぼ直交状態に連結されて直角屋根型をした一対の屈曲片２２ａを形成している。この屈曲片２２ａはそれぞれ壁面Ｗに対して所要の空隙寸法ｄ１をもって平行に形成されており、この空隙寸法ｄ２が一次変形部２１の空隙寸法ｄ１よりも小さくされていることは実施例１と同じである。また、これら屈曲片２２ａの長さはそれぞれ前記一次変形部２１の第１の空隙寸法ｄ１よりも若干長く形成されていることも実施例１と同じである。
【００１６】
実施例２のコーナガード１Ａにおいては、図示は省略するが、歩行者等がコーナガード１Ａに接触し、あるいは衝突したときのように衝撃力が小さいときには、そのときの衝撃力によって一次変形部２１のみが内側に弾性変形され、これにより接触時あるいは衝突時の衝撃を吸収して一次の衝撃吸収が行われる。この一次の衝撃吸収においては、一次変形部２１での弾性変形量が少ないため歩行者等にダメージを与えることが防止され、同時に衝撃がコーナＣにまで及ぼされることはなく、コーナＣを破損から保護することは実施例１と同じである。
【００１７】
一方、移動機器のような重量物が衝突した場合のように、衝撃力が大きい場合には、この大きな衝撃力によって一次変形部２１が大きく変形されて一次の衝撃吸収が行われるとともに、変形された一次変形部２１が二次変形部２２Ａに当接し、二次変形部２２Ａが変形されて二次の衝撃吸収が行われるようになる。これにより、一次変形部２１と二次変形部２２Ａの両変形部での変形によって一次及び二次の衝撃吸収が一体的に行われることになり、大きな衝撃力に対してもコーナＣを確実に保護することができる。この二次変形部２２Ａの変形では、屋根型をした屈曲片２２ａの長さを前述した所要の長さに形成することで、当該屈曲片２２ａが変形したときには確実にコーナＣに当接して二次変形部２２Ａでの変形を生じさせ、二次の衝撃吸収を確実に行うことが可能になる。また、同時に衝撃吸収力を高めることができる。
【００１８】
また、実施例２のコーナガード１Ａでは、コーナＣ部を一次変形部２１と二次変形部２２Ａの張出し片２２ｂとで二重に保護しているので、コーナＣを挟む両壁面の保護効果を高めることができる。また、二次変形部２２Ａは一対の張出し片２２ｂを互いに連結するような屋根型をしてコーナＣを覆っているので、二次の衝撃吸収時に確実にコーナＣを保護することができるとともに、実施例１よりも薄肉に形成しても形状保持性が良く、緩衝効果の高い状態で二次変形部２２Ａでの衝撃吸収を行うことが可能である。
【００１９】
また、コーナガード本体や装飾帯を樹脂で形成することも可能であるが、実施例のようにゴムで製造すれば、ゴムは歩行者がコーナガードに触れたときの感触が樹脂よりも柔らかであるので、特に、老人施設や病院等の弱者に対して心理的な安心感を与える点でも有効である。
【図面の簡単な説明】
【００２０】
【図１】実施例１のコーナガードをコーナに装着した状態の斜視図である。
【図２】実施例１のコーナガードの一部を分解した状態の拡大斜視図である。
【図３】図１のＡ−Ａ線断面図である。
【図４】衝撃吸収の作用を説明するための断面図である。
【図５】衝撃吸収の効果を説明するための特性図である。
【図６】実施例２のコーナガードの図３と同様の断面図である。
【符号の説明】
【００２１】
１  コーナガード
１０  固定部
１１  凹溝
１２  装飾帯
１３  固定ビス
１４  固定補助板
２０  変形部
２１  一次変形部
２２  二次変形部
２２Ａ  二次変形部
２２ａ  屈曲片
２２ｂ  張出し片
ｄ１  第１の空隙寸法
ｄ２  第２の空隙寸法
【図１】
2006161367.tif 000003
【図２】
2006161367.tif 000004
【図３】
2006161367.tif 000005
【図４】
2006161367.tif 000006
【図５】
2006161367.tif 000007
【図６】
2006161367.tif 000008